(57)【要約】【課題】パネルホルダにより液晶パネルを保持する構造を有する液晶表示装置において、液晶パネルに応力がかかった状態になることを抑制し、輝度むらを抑制する。【解決手段】表示パネルと、前記表示パネルの下辺の端面を支持する支持部を有するパネルホルダと、前記表示パネルに振動を与える振動機構と、を備える表示装置。また、表示パネルと、前記表示パネルの下辺の端面を支持する支持部を有するパネルホルダと、前記表示パネルに振動を与える振動機構と、を備える表示装置の制御方法であって、前記振動機構を制御する制御工程と、所定の条件が成立したか否かを判定する工程と、を有し、前記制御工程では、前記所定の条件が成立した場合に前記振動機構を振動させる表示装置の制御方法。【選択図】図３
2015090431.tif 000002
【特許請求の範囲】
【請求項１】
表示パネルと、
前記表示パネルの下辺の端面を支持する支持部を有するパネルホルダと、
前記表示パネルに振動を与える振動機構と、
を備える表示装置。
【請求項２】
前記振動機構は、前記支持部に対し振動を与える請求項１に記載の表示装置。
【請求項３】
前記振動機構は、前記表示パネルの下辺の端面に対し振動を与える請求項１に記載の表示装置。
【請求項４】
前記振動機構は、前記表示パネルの下辺の端面に垂直の方向に振動を与える請求項１〜３のいずれか１項に記載の表示装置。
【請求項５】
前記振動機構は、前記表示パネルの背面側に振動を与える請求項１に記載の表示装置。
【請求項６】
前記振動機構は、前記表示パネルの画面に垂直の方向に振動を与える請求項５に記載の表示装置。
【請求項７】
前記振動機構は、モータ及びモータの駆動力を振動に変換する振動子を有する請求項１〜６のいずれか１項に記載の表示装置。
【請求項８】
前記振動機構は、前記表示パネルの辺に沿って複数、配置される請求項１〜７のいずれか１項に記載の表示装置。
【請求項９】
前記振動機構を制御する制御手段を更に備え、
前記制御手段は、複数の振動機構の各々を同じタイミングで振動させる請求項８に記載の表示装置。
【請求項１０】
前記振動機構を制御する制御手段を更に備え、
前記制御手段は、複数の振動機構の各々を異なるタイミングで振動させる請求項８に記載の表示装置。
【請求項１１】
前記振動機構を制御する制御手段と、
ユーザからの操作入力を受け付ける操作入力手段と、
を更に備え、
前記制御手段は、ユーザが前記操作入力手段により前記振動機構を振動させる指示を入力する操作を行った場合に、前記振動機構を振動させる請求項１〜８のいずれか１項に記載の表示装置。
【請求項１２】
前記振動機構を制御する制御手段を更に備え、
前記制御手段は、所定の条件が成立した場合に前記振動機構を振動させる請求項１〜８のいずれか１項に記載の表示装置。
【請求項１３】
前記表示パネルのキャリブレーションを行うキャリブレーション手段を更に備え、
前記制御手段は、前記キャリブレーション手段がキャリブレーションを実行する前に前記振動機構を振動させる請求項１２に記載の表示装置。
【請求項１４】
前記表示パネルの輝度又は色度を検出するセンサと、
前記キャリブレーションを実行した後に、前記センサによる検出値が目標値になっているか否かを判定する判定手段と、
を更に備え、
前記制御手段は、前記判定手段により前記センサによる検出値が目標値になっていないと判定された場合、再度、振動機構を振動させた後、前記キャリブレーション手段にキャリブレーションを行わせる請求項１３に記載の表示装置。
【請求項１５】
前記判定手段は、前記表示パネルの表示領域を複数の領域に分け、領域毎に前記センサによる検出値が目標値になっているか否かを判定し、
前記制御手段は、前記判定手段により前記センサによる検出値が目標値になっていないと判定された領域の近傍に配置されている振動機構を振動させた後、再度、前記キャリブレーション手段にキャリブレーションを行わせる請求項１４に記載の表示装置。
【請求項１６】
前記表示パネルは回転可能であり、
前記表示パネルの回転を検出する検出手段を更に備え、
前記制御手段は、前記検出手段により前記表示パネルの回転が検出された場合に前記振動機構を振動させる請求項１２に記載の表示装置。
【請求項１７】
前記制御手段は、前記表示装置の電源をオン又はオフする操作がされた直後に前記振動機構を振動させる請求項１２に記載の表示装置。
【請求項１８】
表示パネルと、
前記表示パネルの下辺の端面を支持する支持部を有するパネルホルダと、
前記表示パネルに振動を与える振動機構と、
を備える表示装置の制御方法であって、
前記振動機構を制御する制御工程と、
所定の条件が成立したか否かを判定する工程と、
を有し、
前記制御工程では、前記所定の条件が成立した場合に前記振動機構を振動させる表示装置の制御方法。
【請求項１９】
ユーザからの操作入力を受け付ける操作入力工程を更に有し、
前記制御工程では、ユーザが前記操作入力工程により前記振動機構を振動させる指示を入力する操作を行った場合に、前記振動機構を振動させる請求項１８に記載の表示装置の制御方法。
【請求項２０】
前記表示パネルのキャリブレーションを行うキャリブレーション工程を更に有し、
前記制御工程では、前記キャリブレーション工程でキャリブレーションが実行される前に前記振動機構を振動させる請求項１８に記載の表示装置の制御方法。
【請求項２１】
前記表示パネルの輝度又は色度を検出する検出工程と、
前記キャリブレーションを実行した後に、前記検出工程による検出値が目標値になっているか否かを判定する判定工程と、
を更に有し、
前記制御工程では、前記判定工程により前記検出値が目標値になっていないと判定された場合、再度、振動機構を振動させた後、前記キャリブレーション工程によるキャリブレーションが行われる請求項２０に記載の表示装置の制御方法。
【請求項２２】
前記判定工程では、前記表示パネルの表示領域を複数の領域に分け、領域毎に前記検出値が目標値になっているか否かを判定し、
前記制御工程では、前記判定工程により前記検出値が目標値になっていないと判定された領域の近傍に配置されている振動機構を振動させた後、再度、前記キャリブレーション工程によるキャリブレーションが行われる請求項２１に記載の表示装置の制御方法。
【請求項２３】
前記表示パネルは回転可能であり、
前記表示パネルの回転を検出する検出工程を更に有し、
前記制御工程では、前記検出工程により前記表示パネルの回転が検出された場合に前記振動機構を振動させる請求項１８に記載の表示装置の制御方法。
【請求項２４】
前記制御工程では、前記表示装置の電源をオン又はオフする操作がされた直後に前記振動機構を振動させる請求項１８に記載の表示装置の制御方法。
【発明の詳細な説明】
【技術分野】
【０００１】
本発明は、表示装置に関するものである。
【背景技術】
【０００２】
従来、液晶表示装置は、液晶パネルと、この液晶パネルを照明するバックライトユニットを備えている。
図１１に液晶パネルの内部構造について説明する。
液晶表示装置内の液晶パネル２０は、大きく分けて液晶セル２９とその両面を保護する光学フィルム２１の２つから構成される。液晶セル２９は、０．４〜０．７mm厚の２枚のガラス基板２２の間に数μm程度の狭い空間をスペーサー２４にて保持し、そこに細長い
板状構造をもつ液晶２３で満たしたものである。２枚のガラス基板２２にはそれぞれ、表示面側はカラーフィルタ基板２５、バックライト側はアレイ基板２６が設けられる。カラーフィルタ基板２５は、ガラス基板上に、赤（Ｒ）、緑（Ｇ）、青（Ｂ）の３つの画素とそれらを隔てる遮光部のブラックマトリクスが形成された構成である。アレイ基板２６は、液晶２３を駆動する電気回路機能を持つ基板である。
【０００３】
光学フィルム２１は、液晶セル２９の両側に貼り付ける一対の偏光板であり、それらは一般的に偏光方向が直交するように構成され、一定方向の光のみを通すよう構成される。図１１に示す光学フィルム２１は、液晶２３の配向がガラス基板２２に対して垂直であれば入射光２７が、表示面側より出射光２８として通る。液晶２３の配向がガラス基板２２に対して平行であれば入射光２７は遮断される。
【０００４】
液晶表示装置の画像表示の階調は、主に液晶２３の配向の向きで定まり、液晶２３の配向はアレイ基板２６による電圧印可にて制御する。階調の最も高い白表示の場合は入射光２７を全て透過させ、階調の最も低い黒表示の場合は入射光２７を全て遮断させるように電圧印可を行う。
【０００５】
次に、液晶パネルの製造方法について説明する。
液晶パネルを構成するガラス基板２２は、大型マザーガラス基板を切断して得られる。切断はダイヤモンドカッターを用いてスクライブおよびブレークによって行われるため、ガラス基板２２の端面はバリが生じる。したがって、ガラス基板２２の端部は引っ掛かりやすい形状になっており、液晶パネルを保持する保持部材に引っ掛かることがある。特に、液晶パネル２０を直接押したり大きな振動を与えたりして、端部が保持部材に引っ掛かると、応力が生じ、この応力は引っ掛かりが外れない限り解放されない。液晶パネルに応力がかかった状態になると表示ムラ等の画質劣化が生じる。これを回避するために、液晶パネルに加わる応力を一時的に軽減する構造が提案されている（特許文献１）。
【先行技術文献】
【特許文献】
【０００６】
【特許文献１】特開２０１０−２０４３５７号公報
【発明の概要】
【発明が解決しようとする課題】
【０００７】
液晶パネル２０は応力を受けることで、液晶２３の配向が強制的に乱され、電圧印可による配向制御が精度良く行えなくなる。ここで、液晶パネル２０が応力を受けたときの、液晶パネル内部の構造を詳細に説明する。
図１２に応力が加わらないときの黒表示時の液晶パネル内部を、図１３に応力が加わっ
たときの黒表示時の液晶パネル内部を示す。
【０００８】
図１２に示す応力が加わらない状態では、液晶分子が入射光に対して平行方向であり、このときは入射光２７が遮断される液晶表示装置とする。図１３に示す応力が加わった状態では、応力によって液晶２３の空間を保持しているスペーサー２４が圧縮され、液晶２３を保持している空間距離がＤからｄ（Ｄ＞ｄ）に変化する。このため、液晶２３の配向が平行方向を保てず、ずれることによって入射光２７を十分に遮断できなくなる。
【０００９】
液晶パネル２０の表示領域内に直接静圧や衝撃が加わる場合、画面全体に対して局所的に応力が加わることが多く、液晶２３の配向のずれは局所的に生じる。
そのため、応力が加わっている位置のみ局所的に入射光２７を透過し、それ以外の位置では遮断するため、画面全体では黒表示を行っているが部分的に輝度が高くなり、画面の輝度均一性が低下する。以下、画面の輝度均一性の低下を、輝度むらと称する。
【００１０】
液晶表示装置には、電圧を印可しない状態において入射光の透過率が最大になり白表示を行うノーマリーホワイトの装置と、電圧を印可しない状態において透過率が最少になり黒表示を行うノーマリーブラックの装置がある。ノーマリーホワイトの白表示及びノーマリーブラックの黒表示ではいずれも、電圧印可による液晶２３の配向の制御を行わず、かつ画面全体に同一輝度の画像を表示するため、輝度むらが視認されやすい。
【００１１】
本発明の目的は、パネルホルダにより液晶パネルを保持する構造を有する液晶表示装置において、液晶パネルに応力がかかった状態になることを抑制し、輝度むらを抑制することである。
【課題を解決するための手段】
【００１２】
本発明は、表示パネルと、
前記表示パネルの下辺の端面を支持する支持部を有するパネルホルダと、
前記表示パネルに振動を与える振動機構と、
を備える表示装置である。
【００１３】
本発明は、表示パネルと、
前記表示パネルの下辺の端面を支持する支持部を有するパネルホルダと、
前記表示パネルに振動を与える振動機構と、
を備える表示装置の制御方法であって、
前記振動機構を制御する制御工程と、
所定の条件が成立したか否かを判定する工程と、
を有し、
前記制御工程では、前記所定の条件が成立した場合に前記振動機構を振動させる表示装置の制御方法である。
【発明の効果】
【００１４】
本発明によれば、パネルホルダにより液晶パネルを保持する構造を有する液晶表示装置において、液晶パネルに応力がかかった状態になることを抑制し、輝度むらを抑制することができる。
【図面の簡単な説明】
【００１５】
【図１】実施例１の液晶表示装置の全体の分解斜視図
【図２】実施例１の液晶パネルをバックライトユニットに組み込んだ状態の斜視図
【図３】実施例１の図２のＡＡ断面による断面図
【図４】実施例１のパネル支持部を正面から見た時の詳細図
【図５】実施例１の画像キャリブレーションを実施するときの駆動ブロック図
【図６】実施例１の画像キャリブレーションを実施するときの処理フロー図
【図７】実施例２の液晶パネルをバックライトユニットに組み込んだ状態の斜視図
【図８】実施例２の画像キャリブレーションを実施するときの処理フロー図
【図９】実施例３の液晶パネルをバックライトユニットに組み込んだ状態の斜視図
【図１０】実施例３の図９のＤＤ断面による断面図
【図１１】一般的な液晶パネルの内部構造の断面図
【図１２】応力が加わらないときの黒表示時の液晶パネル内部構造の断面図
【図１３】応力が加わったときの黒表示時の液晶パネル内部構造の断面図
【発明を実施するための形態】
【００１６】
（実施例１）
以下、本発明に係る実施例１について説明する。
図１は、本発明の実施例に係る液晶表示装置１の全体の分解斜視図である。
液晶表示装置１は、フレーム１０、液晶パネル２０、パネルホルダ３０、光学シート４０、反射シート５０、基板６０、ケース７０を含んで構成される。パネルホルダ３０は樹脂製で、光学シート４０から一定の空間を保つように液晶パネル２０を保持し収納する。なお、本実施例では、表示装置が透過型の液晶パネルを表示パネルとして備える構成を例に説明するが、表示パネルは、透過型の液晶パネルを有する液晶表示装置に限らない。表示装置は、反射型の液晶表示装置であってもよい。また、表示装置は、液晶素子の代わりにＭＥＭＳ（Micro Electro Mechanical System）シャッターを用いたＭＥＭＳシャッタ
ー方式ディスプレイであってもよい。
【００１７】
光学シート４０はバックライトユニット８０からの光を拡散する。反射シート５０は光源６１の光を反射する。基板６０にはＬＥＤ（Light Emitting Diode）やＣＣＦＬ（Cold
Cathode Fluorescent Lamp）等の光源６１が実装される。ケース７０は光学シート４０
、反射シート５０、及び基板６０を収納する。パネルホルダ３０、光学シート４０、反射シート５０、基板６０、及びケース７０によりバックライトユニット８０が構成され、バックライトユニット８０により液晶パネル２０が照明される。
【００１８】
図２は、液晶表示装置１において、液晶パネル２０をバックライトユニット８０に組み込んだ状態の斜視図であり、図３は図２のＡＡ断面における断面図であり、図４は、図３におけるパネル支持部を正面から見た詳細図である。
【００１９】
図２、図３に示すように、液晶パネル２０は、パネルホルダ３０の支持部３０ａに接して自重を支持されており、背面側は保持部材（緩衝部材）である弾性体３０ｂによって保持されている。この支持構造は、下辺以外の各辺についても同様である。各辺において、液晶パネル２０とパネルホルダ３０とは、辺全体にわたって接していても良いし、辺の一部分において接していても良い。
【００２０】
図２，図３に示すように、パネルホルダ３０の下辺において液晶パネル２０を支持する支持部３０ａの下には、空間Ｓが設けられる。空間Ｓの内部には、モータ９０と、モータ９０の駆動力を振動に変換する振動子９１と、を有する振動機構が配置される。振動機構は、モータ９０をパネルホルダ３０に固定する接着材９２により空間Ｓ内に固定される。振動子９１がモータ９０により回転することで、振動が支持部３０を介して液晶パネル２０へ伝わり、液晶パネル２０が振動する。これにより液晶パネル２０の端面２０ａが、ばり等により支持部３０ａに引っ掛かっていた場合でも、引っ掛かりを外すことができる。引っ掛かりが外れることで、液晶パネル２０の端面２０ａが支持部３０ａの上で前後方向（画面に垂直方向）に移動するのが妨げられなくなる。これにより、液晶パネル２０に局所的な応力がかかっていた場合でも当該応力が解放され、輝度むらの発生が抑制される。
【００２１】
上記の説明では、振動子９１の振動が支持部３０ａを介して液晶パネル２０の端面２０ａに与えられる振動機構の構成を例示したが、振動機構は、液晶パネル２０の端面２０ａに直接振動を与える構成でもよい。その場合、空間Ｓを形成するパネルホルダ３０の壁面のうち、振動子９１が振動により接触する部分（支持部３０ａ）に穴を設け、液晶パネル２０の端面２０ａと振動子９１とが直接接触するような構成としてもよい。或いは、図３、図４に示すような空間Ｓを設けず、支持部３０ａに振動機構を固定し、当該振動機構が直接液晶パネル２０を支持する構成としても良い。その場合、支持部３０ａに複数の振動機構を配置して液晶パネル２０が水平に保持されるようにしても良いし、振動機構と同じ形状の弾性体や樹脂等で形成された支持部材を支持部３０ａに配置して液晶パネル２０が水平に保持されるようにしても良い。振動機構の構成はモータ９０と振動子９１による構成に限られない。モータ９０の固定方法は、パネルホルダ３０に固定できる手段であれば、接着材９２に限定しない。本実施例では、パネルホルダ３０のうち、液晶パネル２０の下端面を支持する支持部３０ａに設ける例を説明したが、パネルホルダ３０の左右の辺や上の辺に振動機構を配置しても良い。
【００２２】
モータ９０の駆動は、液晶パネル２０の端面２０ａとパネルホルダ３０との間に引っ掛かりが生じ液晶パネル２０に応力がかかった状態になりやすい状況や、画質を安定する必要がある状況など、所定の条件が成立するときに自動的に行うように制御しても良い。例えば、画像キャリブレーションを実施し画質を調整する処理を実行する直前や、液晶表示装置１を運搬してユーザへ納入後の初期設定時にモータ９０を駆動する。また画面を回転可能な液晶表示装置の場合には、画面を横向きから縦向きに回転させた後や、縦向きから横向きに回転させた後にモータ９０を駆動する。画面回転の検知は、液晶表示装置に傾斜センサを内蔵し、傾斜センサの検出値の変化に基づいて行うことができる。例えば横向きのときの傾斜センサの検出値を０度とした場合、傾斜センサの検出値が９０度となったことを検知したとき等にモータ９０を駆動する。更に、定常的に輝度むらを抑制するために、液晶表示装置１の電源をオフ又はオンする操作がされた直後に自動制御で毎回モータ９０を駆動する処理を行ってもよい。
【００２３】
以下、画像キャリブレーションを実施するときにモータ９０を駆動させる場合を例にモータ９０の駆動制御を説明する。図５は、本実施例における、液晶表示装置の画像表示処理部１００の機能ブロック図である。図５において、操作入力部１０１は、ユーザの操作を受け付け、ユーザの操作に応じて画像キャリブレーションの実行の指示をマイコン１０２に送信する。マイコン１０２は、操作入力部１０１から画像キャリブレーションを実行する指示を受信すると、モータ９０を駆動する信号を駆動回路１０３に送信する。駆動回路１０３は、マイコン１０２からの駆動信号に基づきモータ９０を駆動する。これにより上記のように液晶パネル２０の端面２０ａがパネルホルダ３０の支持部３０ａに引っ掛かり液晶パネル２０に応力がかかった状態になっていたとしもて、モータ９０により与えられる振動により引っ掛かりが外れ、応力が解放される。マイコン１０２は画像キャリブレーションの実行を指示する信号を処理部１０４に送信する。処理部１０４は、表示部１０５にキャリブレーションで使用する画像を送信し、画像を表示させる。光センサ１０６は、表示部１０５に表示された画像の輝度や色度を測定し、測定値を処理部１０４に送信する。表示部１０５は、液晶パネル２０及びバックライトユニット８０から構成される。図５のブロック図において、マイコン１０２から表示部１０５に入力する信号の流れは一例であり、これに限定されない。
【００２４】
次に画像キャリブレーションを実施するときの処理フローを示す図６に基づいて、本実施例の液晶表示装置１の動作について詳細に説明する。
画像キャリブレーションは、操作入力部１０１によりユーザが画像キャリブレーションの実行を指示する操作を行うことによって実行される。画像キャリブレーションが開始さ
れると（Ｓ１０１）、まずマイコン１０２に操作入力部１０１から画像キャリブレーションを実施することを示す信号が送信される（Ｓ１０２）。
【００２５】
この信号の入力を受けて、マイコン１０２は駆動回路１０３にモータ９０を駆動することを示す信号を送信する（Ｓ１０３）。この信号により、駆動回路１０３は、モータ９０の回転速度や回転数を制御する。駆動回路１０３からの信号の入力を受けて、モータ９０が駆動される（Ｓ１０４）。
【００２６】
モータ９０の駆動が終了後、マイコン１０２から処理部１０４に画像キャリブレーションの開始を指示する信号が送信され、処理部１０４が画像キャリブレーションを行う（Ｓ１０５）。画像キャリブレーションは、まず所定のキャリブレーション用の画像を表示部１０５に表示し（Ｓ１０６）、その画像を光センサ１０６で測定する（Ｓ１０９）。ここで光センサ１０６は、画像キャリブレーションにおける画質の評価項目である輝度を測定するセンサであるとする。測定結果は、処理部１０４に送信され（Ｓ１０７）、処理部１０４により測定結果が目標値を達成しているか判断される（Ｓ１０８）。測定結果が目標値を達成していれば、画像キャリブレーションは終了する（Ｓ１１０）。測定結果が目標値を達成していなければ、再度マイコン１０２に画像キャリブレーションを実施することを示す信号が送信され（Ｓ１０２）、Ｓ１０２〜Ｓ１０８までの処理が繰り返し実行される。
【００２７】
モータ９０を駆動することによって振動子９１に生じる周波数や振幅などの条件は液晶パネルのサイズや重量によって適宜、最適な条件に設定することができる。また、振動子９１がパネルホルダ３０の支持部３０ａに接触して振動を与える部位の材質は、液晶パネルのサイズや重量によって適宜、最適な条件に設定することができる。
【００２８】
本実施例は、表示画像の特徴量（明るさ等）に応じてバックライト輝度を可変制御することが可能な液晶表示装置に適用可能である。或いは、表示領域を構成する複数の分割領域毎に表示画像の特徴量に応じてバックライト輝度を可変制御（ローカルディミング制御）することが可能な液晶表示装置に適用可能である。これらのバックライト輝度を可変制御可能な液晶表示装置では、黒画像をより暗く表示することが可能であり、コントラストが向上するが、本発明を適用することにより、液晶パネルにかかる応力を効果的に解放することができる。よって、バックライト輝度の可変制御によるコントラスト向上がより一層効果的に実現される。
【００２９】
（実施例２）
以下、本発明に係る実施例２について説明する。
図７は、液晶表示装置１において、液晶パネル２０をバックライトユニット８０に組み込んだ状態の斜視図であり、ＢＢ部とＣＣ部の２箇所に、実施例１で説明した図３と同様の構造の振動機構を有している。なお、振動機構の数は２箇所に限らず、３箇所以上設けてもよい。
【００３０】
振動機構の構造は図３と同様である。また画像表示処理部のブロック図は図５と同様である。なお、駆動回路１０３及びモータ９０は、本実施例では各振動機構について備えているので、それぞれ２個有している。それぞれ第１の駆動回路、第２の駆動回路、第１のモータ、第２のモータと称する。
【００３１】
次に画像キャリブレーションを実施するときの処理フローを示す図８に基づいて、本実施例の液晶表示装置の動作について詳細に説明する。
【００３２】
画像キャリブレーションは、操作入力部１０１によりユーザが画像キャリブレーション
の実行を指示する操作を行うことによって実行される。画像キャリブレーションが開始されると（Ｓ１０１）、まずマイコン１０２に操作入力部１０１から画像キャリブレーションを実施することを示す信号が送信される（Ｓ１０２）。この信号の入力を受けて、マイコン１０２は、２個有している駆動回路のどれを駆動するかを選択する（Ｓ１２０）。
【００３３】
まずマイコン１０２は、第１の駆動回路を選択し、第１の駆動回路に第１のモータを駆動することを示す信号を送信する（Ｓ１２１）。この信号により、第１の駆動回路は、第１のモータの回転速度や回転数を制御する。第１の駆動回路からの信号の入力を受けて、第１のモータが駆動される（Ｓ１２３）。
同様に、マイコン１０２は、第２の駆動回路を選択し、第２の駆動回路に第２のモータを駆動することを示す信号を送信し（Ｓ１２２）、第２のモータが駆動される（Ｓ１２４）。
【００３４】
各モータの駆動終了後、マイコン１０２から処理部１０４に画像キャリブレーションの開始を指示する信号が送信され、処理部１０４が画像キャリブレーションを行う（Ｓ１０５）。画像キャリブレーションは、まず所定のキャリブレーション用の画像を表示部１０５に表示し（Ｓ１０６）、その画像を光センサ１０６で測定する（Ｓ１０９）。ここで光センサ１０６は、画像キャリブレーションにおける画質の評価項目である輝度を測定するセンサであるとする。測定結果は、処理部１０４に送信され（Ｓ１０７）、処理部１０４により測定結果が目標値を達成しているか判断される（Ｓ１０８）。測定結果が目標値を達成していれば、画像キャリブレーションは終了する（Ｓ１１０）。測定結果が目標値を達成していなければ、マイコン１０２は、処理部１０４により、測定結果が目標値を達成していない画面上の位置の情報を取得する（Ｓ１２５）。マイコン１０２は、測定結果が目標値を達成していない画面上の位置の近傍の振動機構に対応する駆動回路を選択する（Ｓ１２０）。マイコン１０２は、選択した駆動回路にモータを駆動することを示す信号を送信する（Ｓ１２１又はＳ１２２）。以下、Ｓ１０８で測定結果が目標値を達成していると判定されるまで、Ｓ１２０〜Ｓ１０８の処理を同様に繰り返す。本実施例では、光センサ１０６は、画面内の複数の領域において表示画像の輝度を測定可能な構成を有するものとする。例えば、光センサ１０６は、画面の右側の領域の所定の代表点における輝度を測定する第１のセンサと、画面の左側の領域の所定の代表点における輝度を測定する第２のセンサと、から構成され、画面の領域毎に測定結果を出力する構成としても良い。マイコン１０２は、第１のセンサによる測定結果と第２のセンサによる測定結果とのそれぞれについて目標値との比較を行い、目標値を達成していない領域に対応する振動機構を特定し、当該振動機構を再度振動させるようにしても良い。この場合、目標値を達成していない領域に対応する振動機構を振動させた後、キャリブレーションを再度実行する。
【００３５】
複数個のモータの駆動について、駆動のタイミングは、各モータを同時に駆動しても良いし、位相をずらして駆動してもよい。各モータの駆動条件である回転数や速度は、全てのモータで同一としても良いし、モータ毎に異ならせても良い。駆動の周波数によるが、複数個のモータを同時に駆動することで共振が生じ、液晶パネルに与える振動の振幅が増幅することで、液晶パネルの端面のパネルホルダにおける引っ掛かりをより確実に解消することが可能になる。きる。
【００３６】
（実施例３）
以下、本発明に係る実施例３について説明する。
図９は、液晶表示装置１において、液晶パネル２０をバックライトユニット８０に組み込んだ状態の斜視図であり、図１０はＤＤ断面における断面図である。
【００３７】
図１０のように、液晶パネル２０は、端面２０ａがパネルホルダ３２の支持部３２ａに接して自重を支持されている。液晶パネル２０の背面側２０ｂには、モータ９０とモータ
９０の駆動を振動に変換する振動子９１が近接し、液晶パネル２０を背面側から支持する。振動子９１を駆動するモータ９０は接着材９２によりパネルホルダ３２に固定される。振動子９１がモータ９０により回転することで、振動が液晶パネル２０の背面側２０ｂに伝わり、液晶パネル２０へ伝わる。これにより液晶パネル２０の端面２０ａが、ばり等により支持部３２ａに引っ掛かっていた場合でも、引っ掛かりを外すことができる。引っ掛かりが外れることで、液晶パネル２０の端面２０ａが支持部３２ａの上で前後方向（画面に垂直方向）に移動するのが妨げられなくなる。これにより、液晶パネル２０に局所的な応力がかかっていた場合でも当該応力が解放され、輝度むらの発生が抑制される。モータ９０の固定方法は、パネルホルダ３０に固定できる手段であれば、接着材９２に限定されない。
【符号の説明】
【００３８】
１：画像表示装置、２０：液晶パネル、２０ａ：液晶パネル端面、２０b：液晶パネル背
面、３０・３１・３２：パネルホルダ、３０ａ・３２ａ：パネル支持部、９０：モータ、９１：振動子
【図１】
2015090431.tif 000003
【図２】
2015090431.tif 000004
【図３】
2015090431.tif 000005
【図４】
2015090431.tif 000006
【図５】
2015090431.tif 000007
【図６】
2015090431.tif 000008
【図７】
2015090431.tif 000009
【図８】
2015090431.tif 000010
【図９】
2015090431.tif 000011
【図１０】
2015090431.tif 000012
【図１１】
2015090431.tif 000013
【図１２】
2015090431.tif 000014
【図１３】
2015090431.tif 000015